(57)【特許請求の範囲】
【請求項１】
画像データのハイライト濃度を検出する手段と、読み取られた画像データのハイライト濃度を除去する第１の除去手段と、前記除去手段からの画像データを蓄積する蓄積メモリ手段と、蓄積された画像データを読み出し、その画像データのハイライト濃度を除去する第２の除去手段と、第２の除去手段からの画像データをプリントする手段とを持つ画像処理装置において、
前記蓄積メモリ手段の先頭に付加情報として、地肌除去量指定キー情報と、ハイライト濃度検出手段の結果とを蓄積する手段と、
前記蓄積メモリ手段の画像データを使用するか否かにより、前記第１の除去手段を無効にするか有効にするかを切り替える手段とを備え、
前記蓄積メモリ手段を用いない処理の場合、前記第１の除去手段によりＲＧＢ側で前記画像データの地肌濃度除去、裏写り防止のための地肌除去処理を行い、前記第２の除去手段によるＣＭＹＫ側で前記画像データの地肌濃度除去、裏写り防止のための地肌除去を行わず、
前記蓄積メモリ手段を用いる処理の場合、前記第１の除去手段によるＲＧＢ側で前記画像データの地肌濃度除去、裏写り防止のための地肌除去処理を行わず、前記蓄積メモリ手段の先頭の付加情報を基に、前記第２の除去手段によりＣＭＹＫ側で前記画像データの地肌濃度除去、裏写り防止のための地肌除去を行うことを特徴とする画像処理装置。
【請求項２】
前記地肌除去量指定キー情報として、地肌除去選択キーの情報を用い、該地肌除去選択キーがＯＮの場合、前記第２の除去手段により、ハイライト側のデータをカットし、前記地肌除去選択キーがＯＮでない場合、前記第２の除去手段による地肌除去処理を行わないことを特徴とする請求項１記載の画像処理装置。
【請求項３】
前記地肌除去量指定キー情報として、裏写り防止選択キーの情報を用い、該裏写り防止選択キーがＯＮの場合、前記第２の除去手段により、ハイライト側のデータをカットし、前記裏写り防止選択キーがＯＮでない場合、前記第２の除去手段による地肌除去処理を行わないことを特徴とする請求項１記載の画像処理装置。
【請求項４】
画像データのハイライト濃度を検出する手段と、読み取られた画像データのハイライト濃度を除去する第１の除去手段と、前記除去手段からの画像データを蓄積する蓄積メモリ手段と、蓄積された画像データを読み出し、その画像データのハイライト濃度を除去する第２の除去手段と、第２の除去手段からの画像データをプリントする手段とを持つ画像処理装置における画像処理方法において、
前記蓄積メモリ手段の先頭に付加情報として、地肌除去量指定キー情報と、ハイライト濃度検出手段の結果とを蓄積する手段と、
前記蓄積メモリ手段の画像データを使用するか否かにより、前記第１の除去手段を無効にするか有効にするかを切り替える手段とを備え、
前記蓄積メモリ手段を用いない処理の場合、前記第１の除去手段によりＲＧＢ側で前記画像データの地肌濃度除去、裏写り防止のための地肌除去処理を行い、前記第２の除去手段によるＣＭＹＫ側で前記画像データの地肌濃度除去、裏写り防止のための地肌除去を行わず、
前記蓄積メモリ手段を用いる処理の場合、前記第１の除去手段によるＲＧＢ側で前記画像データの地肌濃度除去、裏写り防止のための地肌除去処理を行わず、前記蓄積メモリ手段の先頭の付加情報を基に、前記第２の除去手段によりＣＭＹＫ側で前記画像データの地肌濃度除去、裏写り防止のための地肌除去を行うことを特徴とする画像処理方法。
【請求項５】
前記地肌除去量指定キー情報として、地肌除去選択キーの情報、あるいは、裏写り防止選択キーの情報を用い、前記地肌除去選択キーの情報、あるいは、裏写り防止選択キーの情報がＯＮの場合、前記第２の除去手段により、ハイライト側のデータをカットし、前記地肌除去選択キーの情報、及び、裏写り防止選択キーの情報がいずれもＯＮでない場合、前記第２の除去手段による地肌除去処理を行わないことを特徴とする請求項４記載の画像処理方法。
【請求項６】
請求項１、２または３記載の画像処理装置を備えて構成されたことを特徴とするカラー複写機。
【発明の詳細な説明】
【０００１】
【発明の属する技術分野】
本発明は、画像処理装置、画像処理方法及びカラー複写機に係り、特に、地肌除去機能を持つディジタルフルカラー複写機等に使用して好適な画像処理装置、画像処理方法及びカラー複写機に関する。
【０００２】
【従来の技術】
地肌除去機能を持つ画像処理装置に関する従来技術として、例えば、１．特開平１０−１７３８７４号公報、２．特開平１１−２９８６９４号公報、３．特開平Ｐ１１−１４４０４７号公報等に記載された技術が知られている。
【０００３】
従来、一般に、カラー画像処理装置を有する複写機は、いろいろな側面から地肌除去を行っている。その１つは、ざら紙あるいは新聞紙等、白地でない原稿に対してその地肌濃度をカットするもので、もう１つは、裏写り防止と呼び、紙の両面に原稿が存在する場合、その紙が薄いと裏面であるにもかかわらずコピー結果に裏面の情報が写ってしまうものを飛ばすものである。前述の公報１に記載の技術が、色地原稿に対する地肌除去の例で、公報２に記載の技術が、裏写り防止の例である。色地原稿、裏写り原稿、どちらの場合も、ユーザーが、そのことを意識することなくきれいに地肌除去が行われることが望ましいが、実際には、制約やハードウェアの大幅な追加が必要となる。
【０００４】
公報１に記載の従来技術は、ファーストスキャンであるＢｋ（黒）作像時に、原稿の各画素の濃度を検出し、濃度のピークを検出することにより地肌濃度を検出し、セカンドスキャン以降、すなわち、Ｃ（シアン）、Ｍ（マナゼンタ）、Ｙ（イエロー）の版作像時に地肌除去を行うというものである。この処理は、フルカラー画像を作成するために、地肌濃度のように濃度の薄い（以下、ハイライトと呼ぶ）部分に関しては、グレーであってもＢｋ版１色の作像ではなく、ＣＭＹ版３色重ねうちにより現像する（以下、ＵＣＲが低いと呼ぶ）ことを想定している処理である。しかし、この従来技術は、新聞原稿に対して、文字部周りに地肌濃度であるイエロー付きが目につく、文字部が写真処理されるためぼける等の問題が発生し、ハイライト側でもＢｋ１色で現像する（以下、ＵＣＲの高いと呼ぶ）文字処理が望ましい。すなわち、Ｂｋ現像に対しても原稿地肌濃度除去を行いたいという要望が高く、現実には除去量を選択できるように何種類か持ち、一定濃度で地肌除去を行うことが多く見受けられる。
【０００５】
また、公報２に記載の従来技術は、原稿を押さえる圧板に液晶シャッタを設け、原稿サイズを検知すると共に、原稿読み取り時には原稿部の透過光は反射しないようにすることにより、裏写りを防止するというものであり、圧板が非常に高価となってしまい、現実的ではないという問題点を有している。そのため、色地原稿と同じように除去量を選択できるように何種類か持ち、一定濃度で地肌除去を行うことにより裏写りを防止することが多く見受けられる。
【０００６】
前述したように、公報１、２に記載された従来技術は、ある程度一定濃度での地肌除去を行っているが、近年、前述の公報３に記載されているようなローカルストレージと呼ばれるメモリに複数の原稿の画像データを蓄積し、ネットワークを系由してデータの共有を行うものが増加してきている。通常のコピーの場合、操作部上からコピー条件を入力し、その指示に従って画像処理を行えばよかったが、ローカルストレージを使用する場合、メモリには画像データを取り込むだけとなり、プリント条件は、プリント時に再度指定することとなる。
【０００７】
【発明が解決しようとする課題】
前述した公報３に記載の従来技術を使用して地肌除去を行う場合、メモリに画像データを取り込むときに地肌除去を行ってしまうと、後でプリントするときに地肌情報を取り出すことができず、また、プリンタの特性としてハイライト濃度の再現が異なった場合、それを補正することができないという問題点を生じる。
【０００８】
本発明の目的は、前述した従来技術の問題点を解決し、ローカルストレージメモリ使用時に、プレスキャンすることなく、ハードウェアの追加がほとんど不要で、ユーザーの意図をできるだけ反映することが可能な地肌除去回路を有する画像処理装置、画像処理方法及びカラー複写機を提供することにある。
【０００９】
【課題を解決するための手段】
前記目的を達成するため、第１の手段は、画像データのハイライト濃度を検出する手段と、読み取られた画像データのハイライト濃度を除去する第１の除去手段と、前記除去手段からの画像データを蓄積する蓄積メモリ手段と、蓄積された画像データを読み出し、その画像データのハイライト濃度を除去する第２の除去手段と、第２の除去手段からの画像データをプリントする手段とを持つ画像処理装置において、前記蓄積メモリ手段の先頭に付加情報として、地肌除去量指定キー情報と、ハイライト濃度検出手段の結果とを蓄積する手段と、前記蓄積メモリ手段の画像データを使用するか否かにより、前記第１の除去手段を無効にするか有効にするかを切り替える手段とを備え、前記蓄積メモリ手段を用いない処理の場合、前記第１の除去手段によりＲＧＢ側で前記画像データの地肌濃度除去、裏写り防止のための地肌除去処理を行い、前記第２の除去手段によるＣＭＹＫ側で前記画像データの地肌濃度除去、裏写り防止のための地肌除去を行わず、前記蓄積メモリ手段を用いる処理の場合、前記第１の除去手段によるＲＧＢ側で前記画像データの地肌濃度除去、裏写り防止のための地肌除去処理を行わず、前記蓄積メモリ手段の先頭の付加情報を基に、前記第２の除去手段によりＣＭＹＫ側で前記画像データの地肌濃度除去、裏写り防止のための地肌除去を行うことを特徴とする。
【００１０】
第２の手段は、第１の手段において、前記地肌除去量指定キー情報として、地肌除去選択キーの情報を用い、該地肌除去選択キーがＯＮの場合、前記第２の除去手段により、ハイライト側のデータをカットし、前記地肌除去選択キーがＯＮでない場合、前記第２の除去手段による地肌除去処理を行わないことを特徴とする。
【００１１】
第３の手段は、第１の手段において、前記地肌除去量指定キー情報として、裏写り防止選択キーの情報を用い、該裏写り防止選択キーがＯＮの場合、前記第２の除去手段により、ハイライト側のデータをカットし、前記裏写り防止選択キーがＯＮでない場合、前記第２の除去手段による地肌除去処理を行わないことを特徴とする。
【００１２】
第４の手段は、画像データのハイライト濃度を検出する手段と、読み取られた画像データのハイライト濃度を除去する第１の除去手段と、前記除去手段からの画像データを蓄積する蓄積メモリ手段と、蓄積された画像データを読み出し、その画像データのハイライト濃度を除去する第２の除去手段と、第２の除去手段からの画像データをプリントする手段とを持つ画像処理装置における画像処理方法において、前記蓄積メモリ手段の先頭に付加情報として、地肌除去量指定キー情報と、ハイライト濃度検出手段の結果とを蓄積する手段と、前記蓄積メモリ手段の画像データを使用するか否かにより、前記第１の除去手段を無効にするか有効にするかを切り替える手段とを備え、前記蓄積メモリ手段を用いない処理の場合、前記第１の除去手段によりＲＧＢ側で前記画像データの地肌濃度除去、裏写り防止のための地肌除去処理を行い、前記第２の除去手段によるＣＭＹＫ側で前記画像データの地肌濃度除去、裏写り防止のための地肌除去を行わず、前記蓄積メモリ手段を用いる処理の場合、前記第１の除去手段によるＲＧＢ側で前記画像データの地肌濃度除去、裏写り防止のための地肌除去処理を行わず、前記蓄積メモリ手段の先頭の付加情報を基に、前記第２の除去手段によりＣＭＹＫ側で前記画像データの地肌濃度除去、裏写り防止のための地肌除去を行うことを特徴とする。
【００１３】
第５の手段は、第４の手段において、前記地肌除去量指定キー情報として、地肌除去選択キーの情報、あるいは、裏写り防止選択キーの情報を用い、前記地肌除去選択キーの情報、あるいは、裏写り防止選択キーの情報がＯＮの場合、前記第２の除去手段により、ハイライト側のデータをカットし、前記地肌除去選択キーの情報、及び、裏写り防止選択キーの情報がいずれもＯＮでない場合、前記第２の除去手段による地肌除去処理を行わないことを特徴とする。
【００１４】
第６の手段は、カラー複写機において、前述した第１、第２または第３の手段による画像処理装置を備えたことを特徴とする。
【００１５】
前述した第１〜第５の手段によれば、蓄積メモリ手段の先頭に付加情報として地肌除去量指定キー情報とハイライト濃度検出手段の結果とを蓄積することができ、蓄積メモリの画像データを使用する場合にも前述の２つの情報を用いることができ、蓄積メモリを使用するか否かに拘らず、同じ画質のプリントを維持することができ、さらに、地肌除去をプリンタのハイライト特性にあわせて行うことができる。
【００１６】
【発明の実施の形態】
以下、本発明による画像処理装置の実施形態を図面により詳細に説明する。
【００１７】
図１は本発明による画像処理装置を使用したディジタルカラー複写機の一実施形態の構成を示すブロック図である。
【００１８】
図１において、スキャナ１０１から読みこまれた画像データは、ＩＰＵ（イメージ  プロセッシング  ユニット）１０２により画像処理が施され、プリンタ１０３に出力されるというのが画像パスの大まかな流れである。そして、スキャナ１０１、ＩＰＵ１０２、プリンタ１０３に各種設定を通知する機能は、操作部１０４が受け持っている。図１に示す本発明の一実施形態は、ＩＰＵ１０２にローカルストレージと呼ばれる１フレーム以上の画像を蓄積することができるメモリを持つ蓄積手段１０５が接続されている。
【００１９】
図２は従来技術の場合の図１におけるＩＰＵ１０２の内部構成と処理の流れを説明する図である。まず、簡単に、画像パスの流れを説明する。
【００２０】
スキャナ１０１から入力された画像データは、スキャナガンマ２０１と像域分離２０９とに入力される。像域分離２０９は、入力された画像データから画像の特徴量を算出し、原稿をリアルタイムに文字領域か写真領域か、あるいは、他の領域かを判定し、スキャナガンマ２０１以降の各画像処理ブロックにその判定結果を出力する機能を持つ。スキャナガンマ２０１は、スキャナ１０１からの反射率リニアのデータを濃度リニア特性に変換する機能を持つ。スキャナガンマ２０１での処理後、画像データは、フィルタ処理２０２、地肌検出＆地肌除去２０３、色補正＆ＵＣＲ／ＵＣＡ２０４、圧縮２０５の各処理が順次施され、これらの処理を受けた画像データが蓄積手段１０５に格納される。
【００２１】
フィルタ処理２０２は、像域分離２０９による判定結果に従い、文字領域の場合、ＭＴＦ補正用のエッジ強調処理を実行し、写真領域の場合、網点原稿モアレ防止用の平滑処理を実行する。地肌検出＆地肌除去２０３は、本発明の基になる処理であり、スキャナ１０１で読み取られた１つの原稿に対して１つの原稿地肌濃度を検出し、その値に従って地肌除去を実行する。色補正＆ＵＣＲ／ＵＣＡ２０４は、Ｒ（赤）、Ｇ（緑）、Ｂ（青）の各データをＣ、Ｍ、Ｙの各データに補色変換し、変換したＣＭＹデータからＢｋ量を算出し、プリントインクの基となるＣＭＹＢｋ４色分の画像データを作成する。このＣＭＹＢｋ４色分の画像データは、蓄積手段１０５に格納されるが、１つの原稿が、例えば、Ａ３サイズ６００ｄｐｉだったとすると、その画像データが２８０Ｍｂｙｔｅと大容量となるため、圧縮２０５により画像圧縮を行うことによりメモリ容量の削減を行っている。例えば、１／４圧縮を行った場合、総容量として７０Ｍｂｙｔｅとなる。蓄積手段１０５から読み出された画像データは、伸張回路２０６、プリンタガンマ２０７、階調処理２０８へ流れていく。
【００２２】
画像パスとしては、ＣＭＹＫ４色分を同時に読み出すケースと１色分のみを読み出すケースとの２つのケースがあり、ＣＭＹＫ４色分を同時に読み出すケースの場合、これらの４色を４ドラム機に並列に入力してプリントさせ、ＣＭＹＫ１色分ずつ読み出すケースの場合、これらの４色を１ドラム機にシリアルに入力してプリントさせる。
【００２３】
伸張回路２０６は、圧縮回路２０５により圧縮されて蓄積手段１０５に蓄積され、その後読み出されたデータを伸張する回路、プリンタガンマ２０７は、出力サンプルを濃度リニアとするように、プリンタ本体の特性と階調処理のガンマ特性との逆補正を行う。階調処理２０８は、像域分離２０９による判定結果に従って、文字領域の場合、解像度重視の階調処理を行い、写真領域の場合、階調性重視の階調処理を実行する。スキャナガンマ２０１及び像域分離２０９の処理と並行して行われるＡＣＳ２１０という処理があるが、この処理は、１ドラム機特有のもので、読み取られた原稿がカラー原稿か白黒原稿かを判定し、白黒原稿であった場合にＢｋ現像のみを行ってプリント出力するためのものである。
【００２４】
ＩＰＵ１０２内の各処理は、１本のＩＰＵバスにより接続され、ＣＰＵ２１１により各種パラメータが設定されて制御されている。その際、ＲＡＭ２１２はＣＰＵ２１１のワークメモリ等として、また、ＲＯＭ２１３には各種の設定パラメータ等が格納されて使用される。実際のパラメータの設定は、操作部１０４にて各種設定が選択され、その値が操作部１０４内のＣＰＵとＩＰＵ１０２のＣＰＵ２１１との間でシリアル通信を行うことにより実施される。
【００２５】
図３は操作部１０４の構成とその周辺要素の構成とを説明する簡単なブロック図である。図３に示すように、操作部１０４は、オペレーションパネル３００と、操作部１０４全体の制御を行うＣＰＵ３０１と、ＲＡＭ３０２と、ＲＯＭ３０３とが内部バスにより相互に接続されて構成されている。図３には、ＩＰＵ１０２の一部も示しており、ＩＰＵ１０２のＣＰＵ２１１及び操作部１０４のＣＰＵ３０１には、それぞれ、シリアルＩ／Ｆが設けられており、オペレーションパネル３００の操作で選択設定された各種のパラメータがＩＰＵ１０２側に伝送される。また、図３には、前述した地肌検出＆地肌除去２０３が、地肌検出部２０３ａと地肌除去部２０３ｂとにより構成されていることが示されている。
【００２６】
図４は本発明の基になる従来技術の場合の地肌検出＆地肌除去２０３の詳細な構成を示すブロック図、図５は図４におけるステートマシンの構成を示す図、図６は図４における地肌濃度判定４０３の構成を示す図、図７は地肌濃度レジスタへの書き込みタイミングを説明するタイムチャートであり、次に、これらの図を参照して、地肌検出＆地肌除去２０３について説明する。
【００２７】
図３に示したように、地肌検出＆地肌除去２０３は、地肌検出部２０３ａと地肌除去部２０３ｂとにより構成され、地肌検出部２０３ａは、図４に示すように、ステートマシン４０１、最小値検出４０２、地肌濃度判定４０３からなり、地肌濃度判定４０３内に地肌濃度レジスタを持ち、１つの原稿に対して１つの地肌濃度を検出する。
【００２８】
ステートマシン４０１は、図５に示すような地肌濃度判定を行う有効領域を生成するもので、主走査方向の有効領域ＬＧＡＴＥと副走査方向の有効領域ＦＧＡＴＥとのアンド条件により有効領域を生成する。そして、生成した有効領域を示す情報は、地肌濃度判定４０３に入力される。また、図４に示す最小値検出４０２は、入力されるＲＧＢデータから最小値を検出し出力する機能であり、ＲＧＢの３つのデータの単純なコンパレータにより構成される。
【００２９】
地肌濃度判定４０３は、図６に示すように、２種の地肌濃度レジスタとしてのＦ／Ｆ４０３４と４０３５とを備えている。地肌濃度レジスタであるＦ／Ｆ４０３４は、ｔｍｐレジスタとして機能し、もう一方の地肌濃度レジスタであるＦ／Ｆ４０３４は、本レジスタとして機能する。地肌濃度判定４０３は、さらに、予め設定された地肌濃度初期値とｔｍｐレジスタとしてのＦ／Ｆ４０３４が持つ値とが入力され、前述したステートマシン４０１が出力する有効領域を示す図７の信号ＥＮが“１”となって有効領域であることを示しているときに、ｔｍｐレジスタとしてのＦ／Ｆ４０３４が持つ値を選択するセレクタ４０３１と、前述した最小値検出４０２が出力する地肌濃度の最小値と前述のセレクタ４３０１が出力する値とを比較して、どちらが小さいかを示す比較結果を出力するコンパレータ４０３２と、前述した最小値検出４０２が出力する地肌濃度の最小値と前述のセレクタ４３０１が出力する値とが入力され、前述のコンパレータ４０３２からの比較結果により、小さい方の値を出力してｔｍｐレジスタとしてのＦ／Ｆ４０３４にラッチさせるセレクタ４０３３とを備えている。
【００３０】
前述したような構成により、ｔｍｐレジスタとしてのＦ／Ｆ４０３４には、有効領域内で１番明るい（最小値）点が画素クロック単位に更新されてラッチされることになる。そして、本レジスタとしてのＦ／Ｆ４０３５は、有効領域内において、ｔｍｐレジスタと一緒に更新されるが、有効領域が閉じた（ネゲートした）点、すなわち、図７の信号ＥＮが“０”となった点でのｔｍｐレジスタの値を、求める地肌濃度としてラッチする。地肌検出は、この本レジスタとしてのＦ／Ｆ４０３５の値をＩＰＵバスを系由にてＣＰＵがリードすることにより実施される。
【００３１】
図８、図９は地肌除去２０３ｂの処理手段とその入出力特性を説明する図、図１０は蓄積手段１０５の内容を説明する図である。
【００３２】
図８（ａ）、図８（ｂ）に示す地肌除去２０３ｂは、従来技術によるものと、本発明の実施形態入力よるものとの例を示しており、何れもテーブル変換方式により実施されるものである。従来技術の場合の地肌除去２０３ｂは、図８（ａ）に示すように、ＲＧＢの各信号レベル値Ｒｉ、Ｇｉ、Ｂｉと地肌検出２０３ａの検出結果値ＴＨが入力され、テーブル変換方式により、ＴＨ値に従いテーブルを選択してガンマ変換を行って、ＲＧＢの各信号レベル値Ｒｏ、Ｇｏ、Ｂｏを出力する。この入出力の関係を図９（ａ）に示しており、ハイライト部のみの除去を行いシャドー部がそのまま再現されていることが判る。この従来技術の場合の蓄積手段１０５の内部構成を図１０（ａ）に示しており、蓄積手段１０５内には、ＣＭＹＫの画像データが面順次で格納されている。
【００３３】
本発明の実施形態の場合の地肌除去２０３ｂは、図８（ｂ）に示すように、ＲＧＢの各信号レベル値Ｒｉ、Ｇｉ、Ｂｉ、地肌検出２０３ａの検出結果値ＴＨ及び信号ＬＳが入力され、テーブル変換方式により、ＴＨ値に従いテーブルを選択してガンマ変換を行って、ＲＧＢの各信号レベル値Ｒｏ、Ｇｏ、Ｂｏを出力する。この入出力の関係を図９（ｂ）に示しており、これらは、図８（ａ）、図９（ｂ）で説明した従来技術の場合と同様である。そして、本発明の実施形態の場合の蓄積手段１０５の内部には、図１０（ｂ）に示すように、ＣＭＹＫの画像データが面順次で格納されると共に、画像データメモリのヘッダ部分に付加情報として、地肌除去ノッチ情報、裏写り防止ノッチ情報、原稿地肌濃度情報が添付さて格納されている。
【００３４】
本発明の実施形態は、前述で説明したようなＲＧＢ側での地肌除去回路の他にＣＭＹＫ処理側にも地肌除去手段を備えており、このＣＭＹＫ処理側の地肌処理における入出力特性を図１１に示している。地肌除去手段としてはＲＧＢ側での処理と同一でよく、図１１に示す例では、ハイライトのみを除去することとしている。
【００３５】
図１２は従来技術の場合の地肌除去２０３ｂと蓄積手段１０５との全体の構成を示すブロック図、図１３は本発明の実施形態の場合の地肌除去２０３ｂと蓄積手段１０５との全体の構成を示すブロック図である。
【００３６】
図１２、図１３から判るように、図１２に示す従来技術の場合、地肌除去は、データが蓄積手段１０５に格納される前の段階で、ＲＧＢ側でのみ行われる。これに対して、本発明の実施形態では、図１３に示すように、ＲＧＢ側での地肌除去２０３ｂ−１に加えて、蓄積手段１０５からの読み出しデータを伸張した後にＣＭＹＫ処理側での地肌除去２０３ｂ−２が追加される。このため、蓄積手段１０５のヘッダーに追加される前述したような各情報を持つＣＰＵが必要となる。この地肌除去２０３ｂ−２の処理内容は、図８（ｂ）、図９（ｂ）、図１１により説明した通りであり、また、蓄積手段の内容は、図１０（ｂ）により説明した通りである。
【００３７】
地肌除去２０３ｂ−２の手段が設けられる位置としては、蓄積手段１０５からの読み出しデータを伸張した後、プリンタガンマ２０７、階調処理２０８の前に行うことを前提としている。但し、ＣＭＹＫ側の地肌除去回路のハード追加を無くすために、地肌除去機能をプリンタガンマテーブルにプラスすることが可能であるので、ＣＭＹＫ側の地肌除去回路の機能をプリンタガンマテーブルに備えることとしてもよい。
【００３８】
図１４は蓄積データの付加情報である原稿地肌濃度の書きこみタイミングを説明する図である。画像データの書きこみは、ＦＧＡＴＥ有効中に各プレーンに書き込みを行い、次のＦＧＡＴＥ有効までのＦＧＡＴＥネゲート中に付加情報書き込み用のタイミング信号ＣＤＥＮを発生し、ヘッダー部に付加情報を書き込むことにより行われる。
【００３９】
図１５はヘッダー情報の例を説明する図である。地肌除去機能と裏写り防止機能とは、何段階からか選択可能となっている場合が多く、原稿の地肌濃度を使用するかしないかは、自動濃度キーが選択されているか否かで切り替えが行われる場合が多い。各ヘッダー情報について具体的に示すと、
地肌除去ノッチ情報・・・地肌除去選択キーＯＮ／ＯＦＦ、地肌除去量選択ノッチ
裏写り防止ノッチ情報・・・裏写り防止選択キーＯＮ／ＯＦＦ、裏写り防止選択ノッチ
自動濃度ノッチ情報・・・自動濃度選択キーＯＮ／ＯＦＦ、原稿地肌濃度
となる。
【００４０】
本発明の実施形態における地肌除去処理をまとめると、次のようになる。
【００４１】
（１）ローカルストレージ（蓄積手段１０５）を用いない処理の場合、
従来までの方式と同じＲＧＢ側の地肌除去処理を行う。地肌除去選択キーがＯＮの場合、ハイライト側のデータをカットするが、さらに裏写り防止選択キーがＯＮの場合、地肌除去によるハイライト除去カーブと、裏写り防止によるハイライト除去カーブとのオアが実際のハイライト除去量となる。この場合、ヘッダーの付加情報は無効となり、ＣＭＹＫ側の地肌除去はオフとされる。
【００４２】
（２）ローカルストレージ（蓄積手段１０５）を用いる処理の場合、
ＲＧＢ側の地肌除去処理は強制的にオフされ、ヘッダーの付加情報を基にＣＭＹＫ側の地肌除去処理を行う。
【００４３】
前述した本発明の実施形態による各処理は、処理プログラムとして構成することができ、この処理プログラムは、ＨＤ、ＤＡＴ、ＦＤ、ＭＯ、ＤＶＤ−ＲＯＭ、ＣＤ−ＲＯＭ等の記録媒体に格納して提供することができる。
【００４４】
【発明の効果】
以上説明したように本発明によれば、蓄積メモリ手段の先頭に付加情報として地肌除去キーの情報、裏写り防止キーの情報、原稿地肌濃度の結果を蓄積することにより、蓄積メモリを使用するか否かに拘らず、同じ画質のプリントを維持することができ、さらに、地肌除去をプリンタのハイライト特性にあわせて行うことができる。
【図面の簡単な説明】
【図１】本発明による画像処理装置を使用したディジタルカラー複写機の一実施形態の構成を示すブロック図である。
【図２】従来技術の場合の図１におけるＩＰＵ１０２の内部構成と処理の流れを説明する図である。
【図３】操作部１０４の構成とその周辺要素の構成とを説明する簡単なブロック図である。
【図４】本発明の基になる従来技術の場合の地肌検出＆地肌除去２０３の詳細な構成を示すブロック図である。
【図５】図４におけるステートマシンの構成を示す図である。
【図６】図４における地肌濃度判定４０３の本発明の実施形態での構成を示す図である。
【図７】地肌濃度レジスタへの書き込みタイミングを説明するタイムチャートである。
【図８】地肌除去２０３ｂの処理手段を説明する図である。
【図９】地肌除去２０３ｂの入出力特性を説明する図である。
【図１０】蓄積手段１０５の内容を説明する図である。
【図１１】ＣＭＹＫ処理側の地肌処理における入出力特性を説明する図である。
【図１２】従来技術の場合の地肌除去２０３ｂと蓄積手段１０５との全体の構成を示すブロック図である。
【図１３】本発明の実施形態の場合の地肌除去２０３ｂと蓄積手段１０５との全体の構成を示すブロック図である。
【図１４】蓄積データの付加情報である原稿地肌濃度の書きこみタイミングを説明する図である。
【図１５】ヘッダー情報の例を説明する図である。
【符号の説明】
１０１  スキャナ
１０２  ＩＰＵ
１０３  プリンタ
１０４  操作部
１０５  蓄積手段
２０１  スキャナガンマ
２０２  フィルタ処理
２０３  地肌検出、地肌除去
２０４  色補正、ＵＣＲ／ＵＣＡ
２０５  圧縮
２０６  伸張
２０７  プリンタガンマ
２０８  階調処理
２０９  像域分離
２１０  ＡＣＳ
２１１  ＩＰＵ側ＣＰＵ
３００  オペレーションパネル
３０１  操作部側ＣＰＵ
４０１  ステートマシン
４０２  最小値検出
４０３  地肌濃度判定
【図１】
0004154163.tif 000002
【図２】
0004154163.tif 000003
【図３】
0004154163.tif 000004
【図４】
0004154163.tif 000005
【図５】
0004154163.tif 000006
【図６】
0004154163.tif 000007
【図７】
0004154163.tif 000008
【図８】
0004154163.tif 000009
【図９】
0004154163.tif 000010
【図１０】
0004154163.tif 000011
【図１１】
0004154163.tif 000012
【図１２】
0004154163.tif 000013
【図１３】
0004154163.tif 000014
【図１４】
0004154163.tif 000015
【図１５】
0004154163.tif 000016